(57)【要約】【課題】ランプハウスの出射口に防爆ガラスを設けたものでありながら、ランプハウス内の昇温を効果的に抑制することができる光源装置を提供する。【解決手段】光源ランプ１と、一端に出射口１３を有し、内部に配置された前記光源ランプ１からの放射光を前記出射口１３から出射するランプハウス１０と、前記ランプハウス１０の出射口に設けられた防爆ガラス１４と、前記ランプハウス１０内に通風する空冷手段１６とを備え、且つ、前記光源ランプ１の防爆ガラス１４側の端部を前記防爆ガラス１４の内面に伝熱性をもたせて接続した。【選択図】      図１
2005149841.tif 000002
【特許請求の範囲】
【請求項１】
光源ランプと、一端に出射口を有し、内部に配置された前記光源ランプからの放射光を前記出射口から出射するランプハウスと、前記ランプハウスの出射口に設けられた防爆ガラスと、前記ランプハウス内に通風する空冷手段とを備え、且つ、前記光源ランプの前記防爆ガラス側の端部が前記防爆ガラスの内面に伝熱性をもって接続されていることを特徴とする光源装置。
【請求項２】
光源ランプは、管状部の中間部に膨らみ部が形成されたガラスバルブ内に、一対の棒状電極が、それぞれの先端を前記膨らみ部内において近接対向させ、それぞれの後端部を前記管状部の端部から突出させて設けられ、前記ガラスバルブ内に前記電極間に発生するアークにより発光する物質が封入されたアークランプであり、このアークランプの防爆ガラス側の棒状電極の後端が前記防爆ガラスの内面に伝熱性をもって接続されていることを特徴とする請求項１に記載の光源装置。
【請求項３】
アークランプの防爆ガラス側の棒状電極の後端は、前記防爆ガラスの内面に接触接続していることを特徴とする請求項２に記載の光源装置。
【請求項４】
アークランプの防爆ガラス側の棒状電極の後端に伝熱性を有するコイルばねが設けられ、棒状電極の後端が前記コイルばねを介して前記防爆ガラスの内面に接触していることを特徴とする請求項３に記載の光源装置。
【請求項５】
ランプハウスの出射口に防爆ガラスが遊嵌されるとともに、前記ランプハウスの出射口部に前記防爆ガラスを前記ランプハウス内方向に押圧するばね部材が設けられ、このばね部材の弾力により前記アークランプの防爆ガラス側の棒状電極の後端が前記防爆ガラスの内面に接触されていることを特徴とする請求項３に記載の光源装置。
【請求項６】
アークランプの防爆ガラス側の棒状電極の後端は、伝熱性を有する接着層を介して前記防爆ガラスの内面に接着接続されていることを特徴とする請求項２に記載の光源装置。
【請求項７】
アークランプの防爆ガラス側の棒状電極の後端に、ガラスバルブの管状部の外径以下で前記棒状電極よりも大径な防爆ガラス接続部が設けられていることを特徴とする請求項２〜６のいずれかに記載の光源装置。
【請求項８】
ランプハウスは、一方の面が開口するカップ状のリフレクタと、一端に出射口が形成され、他端縁を前記リフレクタの開口縁に接続された筒状の防爆カバーとからなっており、空冷手段は、前記防爆カバーに設けられた複数の通風口と、前記ランプハウスの外側に前記複数の通風口のいずれかに対向させて設けられた送風機とからなっていることを特徴とする請求項１に記載の光源装置。
【発明の詳細な説明】
【技術分野】
【０００１】
この発明は、プロジェクタ等に用いる光源装置に関する。
【背景技術】
【０００２】
プロジェクタ等に用いる光源装置は、光源ランプを、リフレクタからなる一端に出射口を有するランプハウス内に配置し、前記光源ランプからの放射光を前記ランプハウスの出射口から出射する構成とされている。
【０００３】
この種の光源装置では、前記光源ランプの破裂による周辺機器の損傷を防ぐために、前記ランプハウスの出射口に防爆ガラスを設けるとともに、光源ランプの発熱によるランプハウス内の昇温を抑制するために、前記ランプハウス内に通風するを空冷手段を備えている（特許文献１、２参照）。
【特許文献１】特開２０００―３０６４１３号公報
【特許文献２】特開２００３―０２９３３７号公報
【発明の開示】
【発明が解決しようとする課題】
【０００４】
しかし、前記光源装置は、ランプハウスの出射口が防爆ガラスにより塞がれているため、通風性が悪く、充分な空冷効果が得られない。
【０００５】
この発明は、ランプハウスの出射口に防爆ガラスを設けたものでありながら、ランプハウス内の昇温を効果的に抑制することができる光源装置を提供することを目的としたものである。
【課題を解決するための手段】
【０００６】
この発明の光源装置は、光源ランプと、一端に出射口を有し、内部に配置された前記光源ランプからの放射光を前記出射口から出射するランプハウスと、前記ランプハウスの出射口に設けられた防爆ガラスと、前記ランプハウス内に通風する空冷手段とを備え、且つ、前記光源ランプの前記防爆ガラス側の端部が前記防爆ガラスの内面に伝熱性をもって接続されていることを特徴とする。
【０００７】
この光源装置において、前記光源ランプは、管状部の中間部に膨らみ部が形成されたガラスバルブ内に、一対の棒状電極が、それぞれの先端を前記膨らみ部内において近接対向させ、それぞれの後端部を前記管状部の端部から突出させて設けられ、前記ガラスバルブ内に前記電極間に発生するアークにより発光する物質が封入されたアークランプであり、このアークランプの防爆ガラス側の棒状電極の後端が前記防爆ガラスの内面に伝熱性をもって接続されているのが望ましい。
【０００８】
前記アークランプの防爆ガラス側の棒状電極の後端は、前記防爆ガラスの内面に接触接続させてもよい。
【０００９】
その場合は、前記アークランプの防爆ガラス側の棒状電極の後端に伝熱性を有するコイルばねを設け、前記棒状電極の後端を前記コイルばねを介して前記防爆ガラスの内面に接触させるか、あるいは、前記ランプハウスの出射口に前記防爆ガラスを遊嵌するとともに、前記ランプハウスの出射口部に前記防爆ガラスを前記ランプハウス内方向に押圧するばね部材を設け、このばね部材の弾力により前記アークランプの防爆ガラス側の棒状電極の後端を前記防爆ガラスの内面に接触させるのが好ましい。
【００１０】
また、前記アークランプの防爆ガラス側の棒状電極の後端は、伝熱性を有する接着層を介して前記防爆ガラスの内面に接着接続させてもよい。
【００１１】
さらに、この光源装置においては、前記アークランプの防爆ガラス側の棒状電極の後端に、前記ガラスバルブの管状部の外径以下で前記棒状電極よりも大径な防爆ガラス接続部を設けるのが好ましい。
【００１２】
また、前記ランプハウスは、一方の面が開口するカップ状のリフレクタと、一端に出射口が形成され、他端縁を前記リフレクタの開口縁に接続された筒状の防爆カバーとからなっており、前記空冷手段は、前記防爆カバーに設けられた複数の通風口と、前記ランプハウスの外側に前記複数の通風口のいずれかに対向させて設けられた送風機とからなっているのが望ましい。
【発明の効果】
【００１３】
この発明の光源装置は、ランプハウスの出射口に防爆ガラスを設け、前記ランプハウス内に通風する空冷手段を備えるとともに、前記光源ランプの防爆ガラス側の端部を前記防爆ガラスの内面に伝熱性をもたせて接続しているため、前記光源ランプが発生する熱の一部を、前記防爆ガラスを放熱板として利用して外部に放熱することができ、したがって、ランプハウスの出射口に防爆ガラスを設けたものでありながら、前記空冷手段によるランプハウス内の空冷と、前記防爆ガラスを利用するランプ熱の放熱とにより、前記ランプハウス内の昇温を効果的に抑制することができる。
【００１４】
この光源装置において、前記光源ランプは、管状部の中間部に膨らみ部が形成されたガラスバルブ内に、一対の棒状電極が、それぞれの先端を前記膨らみ部内において近接対向させ、それぞれの後端部を前記管状部の端部から突出させて設けられ、前記ガラスバルブ内に前記電極間に発生するアークにより発光する物質が封入されたアークランプであり、このアークランプの防爆ガラス側の棒状電極の後端が前記防爆ガラスの内面に伝熱性をもって接続されているのが望ましく、このようにすることにより、前記アークランプの発生熱を、前記棒状電極から前記防爆ガラスに伝えて外部に放熱し、前記ランプハウス内の昇温をより効果的に抑制することができる。
【００１５】
前記アークランプの防爆ガラス側の棒状電極の後端は、前記防爆ガラスの内面に接触接続させてもよく、このようにすることにより、前記アークランプの発生熱を、前記棒状電極から前記防爆ガラスに伝えることができる。
【００１６】
その場合は、前記アークランプの防爆ガラス側の棒状電極の後端に伝熱性を有するバネ部材を設け、前記棒状電極の後端を前記バネ部材を介して前記防爆ガラスの内面に接触させるか、あるいは、前記ランプハウスの出射口に前記防爆ガラスを遊嵌するとともに、前記ランプハウスの出射口部に前記防爆ガラスを前記ランプハウス内方向に押圧するばね部材を設け、このばね部材の弾力により前記アークランプの防爆ガラス側の棒状電極の後端を前記防爆ガラスの内面に接触させるのが好ましく、このようにすることにより、前記棒状電極を前記防爆ガラスの内面に容易にしかも確実に接触させることができる。
【００１７】
また、前記アークランプの防爆ガラス側の棒状電極の後端は、伝熱性を有する接着層を介して前記防爆ガラスの内面に接着接続してもよく、このようにすることにより、前記棒状電極の後端を前記防爆ガラスの内面に一体的に接続し、前記アークランプの発生熱を、前記棒状電極から前記接着層を介して前記防爆ガラスに伝えることができる。
【００１８】
さらに、この光源装置においては、前記アークランプの防爆ガラス側の棒状電極の後端に、前記ガラスバルブの管状部の外径以下で前記棒状電極よりも大径な防爆ガラス接続部を設けるのが好ましく、このようにすることにより、前記棒状電極から前記防爆ガラスへの伝熱効率を高くするとともに、前記ランプハウスの出射口から、中心部に影欠陥の無い光束を出射することができる。
【００１９】
また、前記ランプハウスは、一方の面が開口するカップ状のリフレクタと、一端に出射口が形成され、他端縁を前記リフレクタの開口縁に接続された筒状の防爆カバーとからなっており、前記空冷手段は、前記防爆カバーに設けられた複数の通風口と、前記ランプハウスの外側に前記複数の通風口のいずれかに対向させて設けられた送風機とからなっているのが望ましく、このようにすることにより、前記ランプハウスの出射口、つまり前記防爆カバーの出射口から、空冷用の通風口に対応する影部の無い、良好な輝度分布の光束を出射することができる。
【発明を実施するための最良の形態】
【００２０】
図１及び図２はこの発明の第１の実施例を示しており、図１は光源装置のランプハウスを切開した斜視図、図２は前記光源装置の一部分の断面図である。
【００２１】
この光源装置は、図１及び図２に示したように、高輝度の光を発する光源ランプ１と、一端に出射口１３を有し、内部に配置された前記光源ランプ１からの放射光を前記出射口１３から出射するランプハウス１０と、前記ランプハウス１０の出射口１３に設けられた防爆ガラス１４と、前記ランプハウス１０内に通風する空冷手段１６とを備えている。
【００２２】
前記光源ランプ１は、管状部２ａの中間部に球状の膨らみ部２ｂが形成されたガラスバルブ２内に、一対の棒状電極３，４が、それぞれの先端を前記膨らみ部２ｂ内において近接対向させ、それぞれの後端部を前記管状部２ａの端部から突出させて設けられ、前記ガラスバルブ２内に前記電極３，４間に発生するアークにより発光する物質が封入されたメタルハライドランプまたは高圧水銀ランプ等のショートアークランプである。以下、この光源ランプ１をアークランプと言う。
【００２３】
前記ランプハウス１０は、一方の面が開口するカップ状のリフレクタ１１と、一端に前記出射口１３が形成され、他端縁を前記リフレクタ１１の開口縁に接続された筒状の防爆カバー１２とからなっている。
【００２４】
前記リフレクタ１１は、アルミニウム等の高反射率金属または内面全体に反射膜が形成された耐熱性樹脂からなっており、例えば中空の楕円球体をその長軸に対して垂直に切断した形状を有し、その内奥面の中心に、リフレクタ１１内に連通する円筒状のランプ挿入部１１ａが設けられている。
【００２５】
そして、前記アークランプ１は、そのガラスバルブ２の一端側の管状部２ａを前記リフレクタ１１のランプ挿入部１１ａに挿通し、前記ガラスバルブ２の中心線を前記リフレクタ１１の中心線（楕円球体の長軸）に一致させるとともに、前記ガラスバルブの膨らみ部内の発光部をリフレクタ１１内の内奥面寄りの部分に位置させ、前記ガラスバルブ２の他端側の管状部２ａをリフレクタ１１の開口端よりも外方に突出させた状態で前記リフレクタ１１内に配置され、前記ランプ挿入部１１ａ内に充填されたランプ固定材１５により固定されている。
【００２６】
さらに、前記アークランプ１の一対の棒状電極３，４のうち、前記ガラスバルブ２の他端側、つまり前記リフレクタ１１の開口端から突出する側の棒状電極４のガラスバルブ２外に突出する後端部には、その端面に、前記ガラスバルブ２の管状部２ａの外径以下で前記棒状電極３よりも大径な円板状の防爆ガラス接続部５が、その板面を前記ガラスバルブ２の中心線と垂直にして設けられている。なお、この防爆ガラス接続部５は、前記棒状電極４と一体に形成されるか、あるいは他の伝熱性金属板を棒状電極４の端面に溶接して形成されている。
【００２７】
また、前記他端側の棒状電極４のガラスバルブ２外に突出する後端部には、その端面に設けられた防爆ガラス接続部５よりもガラスバルブ２側の部分から駆動回路接続リード６が導出されている。
【００２８】
この駆動回路接続リード６は、前記リフレクタ１１を貫通させてランプハウス１０外に配置された図示しないランプ駆動回路に接続されるか、あるいは前記リフレクタ１１の外面に形成された駆動回路接続配線に接続され、この駆動回路接続配線を介して前記ランプ駆動回路に接続されており、また、前記リフレクタ１１のランプ挿入部１１ａに挿通された一端側の棒状電極３の後端部は、図示しない接続部材を介して前記ランプ駆動回路に接続されている。
【００２９】
また、前記ランプハウス１０の防爆カバー１２は、一端側から他端側に向かって大径となるテーパー付き円筒体からなっており、その小径側の端部に、直筒状の防爆ガラス嵌合部１２ａが形成されている。なお、この防爆カバー１２は、内面に非反射処理が施された金属筒または耐熱性樹脂筒からなっている。
【００３０】
前記防爆カバー１２の防爆ガラス嵌合部１２ａは、その先端縁の内周に環状鍔部を有しており、この環状鍔部により囲まれた円形の開口部が前記出射口１３とされている。
【００３１】
前記防爆カバー１２の出射口１３には、耐熱ガラスからなる円形の防爆ガラス１４が、前記防爆ガラス嵌合部１２ａ内に嵌合するとともに、この防爆ガラス１４の外周部を防爆ガラス嵌合部１２ａに図示しない耐熱性接着剤により固定して設けられている。
【００３２】
そして、前記防爆カバー１２は、その大径側の端部を前記リフレクタ１１の開口縁部に嵌合され、ビス止めまたは掛け止め等の手段によって前記リフレクタ１１の開口縁に接続されている。
【００３３】
また、前記防爆カバー１２の軸方向の長さは、この防爆カバー１２を前記リフレクタ１１の開口縁部に接続したときに、前記防爆ガラス１４の内面が前記アークランプ１の他端側、つまり防爆ガラス１４側の棒状電極４の後端に設けられた防爆ガラス接続部５にフラットに接面するように設計されており、したがって、前記防爆カバー１２は、前記アークランプ１の防爆ガラス１４側の棒状電極３の後端の防爆ガラス接続部５を前記防爆ガラス１４の内面の中心部に伝熱性をもって接触接続させた状態で前記リフレクタ１１の開口縁に接続されている。
【００３４】
さらに、前記防爆カバー１２の周面の一側部と他側部には、防爆カバー１２内に連通する筒状の第１の通風口１７と、孔状またはスリット状の複数の第２の通風口１８とが設けられるとともに、前記ランプハウス１０の外側に、前記第１の通風口１７に対向させて送風機１９が配置されており、これらの通風口１７，１８と送風機１９とにより、前記ランプハウス１０内に通風する空冷手段１６が構成されている。
【００３５】
なお、この空冷手段１６は、外気を前記送風機１９により前記第１の通風口１７からランプハウス１０内に送気し、前記ランプハウス１０内の空気を前記の第２の通風口１８から排気するものでも、外気を前記第２の通風口１８からランプハウス１０内に吸気し、前記ランプハウス１０内の空気を前記の第１の通風口１７から前記送風機１９により排気するものでもよい。
【００３６】
この光源装置は、ランプハウス１０の出射口１３に防爆ガラス１４を設け、前記ランプハウス１０内に通風する空冷手段１６を備えるとともに、前記光源ランプ１の防爆ガラス１４側の端部を前記防爆ガラス１４の内面に伝熱性をもたせて接続しているため、前記光源ランプ１が発生する熱の一部を、前記防爆ガラス１４を放熱板として利用して外部に放熱することができる。
【００３７】
したがって、この光源装置は、ランプハウス１０の出射口１３に防爆ガラス１４を設けたものでありながら、前記空冷手段１６によるランプハウス１０内の空冷と、前記防爆ガラス１４を利用するランプ熱の放熱とにより、前記ランプハウス１０内の昇温を効果的に抑制することができる。
【００３８】
また、この光源装置は、前記光源ランプ１を、管状部２ａの中間部に膨らみ部２ｂが形成されたガラスバルブ２内に、一対の棒状電極３，４が、それぞれの先端を前記膨らみ部２ｂ内において近接対向させ、それぞれの後端部を前記管状部２ａの端部から突出させて設けられ、前記ガラスバルブ２内に前記電極３，４間に発生するアークにより発光する物質が封入されたアークランプとし、このアークランプ１の防爆ガラス１４側の棒状電極４の後端を前記防爆ガラスの内面に伝熱性をもって接続しているため、前記アークランプ１の発生熱を、前記棒状電極４から前記防爆ガラス１４に伝えて外部に放熱し、前記ランプハウス１０内の昇温をより効果的に抑制することができる。
【００３９】
そして、上記実施例では、前記アークランプ１の防爆ガラス１４側の棒状電極４の後端を、前記防爆ガラス１４の内面に接触接続させているため、前記アークランプ１の発生熱を、前記棒状電極４から前記防爆ガラス１４に伝えることができる。
【００４０】
さらに、上記実施例の光源装置では、前記アークランプ１の防爆ガラス１４側の棒状電極３の後端に、前記ガラスバルブ２の管状部２ａの外径以下で前記棒状電極４よりも大径な防爆ガラス接続部５を設けているため、前記棒状電極４から前記防爆ガラス１４への伝熱効率を高くするとともに、前記ランプハウス１０の出射口１３から、中心部に影欠陥の無い光束を出射することができる。
【００４１】
すなわち、前記アークランプ１の防爆ガラス１４側の棒状電極４から前記防爆ガラス１４への伝熱効率は、前記防爆ガラス接続部５の径を大きくするほど、つまり前記防爆ガラス接続部５と防爆ガラス１４との間の伝熱面積を大きくするほど高くなるが、前記防爆ガラス接続部５の径を大きくし過ぎると、この防爆ガラス接続部５による遮光面積が大きくなり、前記ランプハウス１０の出射口１３から出射する光束の中心部に影欠陥が生じる。
【００４２】
それに対し、前記防爆ガラス接続部５の径が、前記ガラスバルブ２の管状部２ａの外径以下であれば、前記ガラスバルブ２の中間部の膨らみ部２ｂから放射され、前記リフレクタ１１の内周面により反射された光が、前記防爆ガラス接続部５の前方の領域にも充分な強度で出射するため、前記ランプハウス１０の出射口１３から、中心部に影欠陥の無い光束を出射することができる。
【００４３】
また、上記光源装置は、前記ランプハウス１０を、一方の面が開口するカップ状のリフレクタ１１と、一端に出射口１３が形成され、他端縁を前記リフレクタ１１の開口縁に接続された筒状の防爆カバー１２とにより構成し、前記空冷手段１６を、前記防爆カバー１２に設けられた複数の通風口１７，１８と、前記ランプハウス１０の外側に前記複数の通風口１７，１８のいずれか（筒状の第１の通風口１７）に対向させて設けられた送風機１９とにより構成しているため、前記ランプハウス１０の出射口、つまり前記防爆カバー１２の出射口１３から、空冷用の通風口１７，１８に対応する影部の無い、良好な輝度分布の光束を出射することができる。
【００４４】
すなわち、前記空冷用の通風口１７，１８を前記リフレクタ１１の周面に設けたのでは、前記アークランプ１のガラスバルブ２の膨らみ部２ｂから放射された光のうち、前記リフレクタ１１の通風口部分に向かう光が反射されなくなってしまうが、上記実施例の光源装置は、前記ランプハウス１０を、前記リフレクタ１１と防爆カバー１２とにより構成し、前記防爆カバー１２に空冷用の通風口１７，１８を設けているため、前記アークランプ１のガラスバルブ２の膨らみ部２ｂからの放射光を前記リフレクタ１１の内周面全体で反射し、前記ランプハウス１０の出射口（防爆カバー１２の出射口）１３から、前記通風口１７，１８に対応する影部の無い良好な輝度分布の光束を出射することができる。
【００４５】
なお、上記実施例では、前記アークランプ１の防爆ガラス１４側の棒状電極４の後端に防爆ガラス接続部５を設けているが、この防爆ガラス接続部５を省略し、前記棒状電極４の後端面を直接前記防爆ガラス１４の内面に接触させてもよい。
【００４６】
図３はこの発明の第２の実施例を示す光源装置の一部分の断面図であり、この実施例の光源装置は、アークランプ１の防爆ガラス１４側の棒状電極４の後端に伝熱性を有するコイルばね７を設け、このコイルばね７の先端に、前記アークランプ１のガラスバルブ２の管状部２ａの外径以下で前記棒状電極４よりも大径な防爆ガラス接続部５を設けることにより、前記棒状電極４の後端を前記コイルばね７及び防爆ガラス接続部５を介して前記防爆ガラス１４の内面に接触させたものである。
【００４７】
なお、この実施例の光源装置において、他の構成は上述した第１の実施例と同じであるから、重複する説明は図に同符号を付して省略する。
【００４８】
この実施例において、前記アークランプ１の防爆ガラス１４側の棒状電極４の後端に設けられた伝熱性コイルばね７は、一端から他端に向かって大径となるテーパー付きコイルばねであり、その一端の外径は前記棒状電極４の径と略同じで、他端の外径は前記防爆ガラス接続部５の径と略同じである。
【００４９】
そして、このコイルばね７は、その小径側端部を前記棒状電極４の後端面に溶接されて、ばね中心線が前記アークランプ１のガラスバルブ中心線と略一致するように設けられており、前記防爆ガラス接続部５は、その外周部を前記コイルばね７の大径側端部に溶接され、この防爆ガラス接続部５の板面が前記ガラスバルブ中心線と垂直になるように設けられている。
【００５０】
この実施例の光源装置は、アークランプ１の防爆ガラス１４側の棒状電極４の後端に伝熱性コイルばね７を設け、このコイルばね７の先端に防爆ガラス接続部５を設けることにより、前記棒状電極４の後端を前記伝熱性コイルばね７及び防爆ガラス接続部５を介して前記防爆ガラス１４の内面に接触させているため、上述した第１の実施例のようにランプハウス１０の防爆カバー１２の軸方向長さを、この防爆カバー１２をリフレクタ１１の開口縁部に接続したときに前記防爆ガラス１４の内面が前記アークランプ１の防爆ガラス接続部５に接面するように設計しなくてもよく、したがって、前記アークランプ１の防爆ガラス１４側の棒状電極４を前記防爆ガラス１４の内面に容易にしかも確実に接触させることができる。
【００５１】
なお、上記第２の実施例では、前記伝熱性コイルばね７を、一端の外径が前記棒状電極４の径と略同じで、他端の外径が前記防爆ガラス接続部５の径と略同じであるテーパー付きコイルばねとしているが、この伝熱性コイルばね７は、その全長にわたって前記棒状電極４の径と略同じ外径を有するコイルばねでもよい。
【００５２】
また、上記第２の実施例では、前記アークランプ１の防爆ガラス１４側の棒状電極４の後端に伝熱性コイルばね７を設け、さらにこのコイルばね７の先端に防爆ガラス接続部５を設けているが、前記防爆ガラス接続部５を省略し、前記コイルばね７の先端を直接前記防爆ガラス１４の内面に接触させてもよい。
【００５３】
図４はこの発明の第３の実施例を示す光源装置の一部分の断面図であり、この実施例の光源装置は、アークランプ１の防爆ガラス１４側の棒状電極４の後端に、前記アークランプ１のガラスバルブ２の管状部２ａの外径以下で前記棒状電極４よりも大径なばね受け８を設け、このばね受け８に、全長にわたって前記ばね受け８の径と略同じ外径を有する伝熱性コイルばね９の一端を溶接し、この伝熱性コイルばね９の先端を前記防爆ガラス１４の内面に直接接触させたものである。
【００５４】
なお、この実施例の光源装置において、他の構成は上述した第１の実施例と同じであるから、重複する説明は図に同符号を付して省略する。
【００５５】
この実施例の光源装置は、アークランプ１の防爆ガラス１４側の棒状電極４の後端に伝熱性コイルばね９を設けることにより、前記棒状電極４の後端を前記伝熱性コイルばね９を介して前記防爆ガラス１４の内面に接触させているため、前記アークランプ１の防爆ガラス１４側の棒状電極４を前記防爆ガラス１４の内面に容易にしかも確実に接触させることができる。
【００５６】
しかも、この実施例では、前記アークランプ１の防爆ガラス１４側の棒状電極４の後端に、前記アークランプ１のガラスバルブ２の管状部２ａの外径以下で前記棒状電極４よりも大径なばね受け８を設け、このばね受け８に、全長にわたって前記ばね受け８の径と略同じ外径を有する伝熱性コイル９の一端を溶接しているため、前記棒状電極４と伝熱性コイル９との間の伝熱面積及び前記伝熱性コイル９と防爆ガラス１４との間の伝熱面積を充分に確保し、前記棒状電極４から防爆ガラス１４への伝熱効率を良くするとともに、ランプハウス１０の出射口１３から、中心部に影欠陥の無い光束を出射することができる。
【００５７】
図５はこの発明の第４の実施例を示す光源装置の一部分の断面図であり、この実施例の光源装置は、アークランプ１の防爆ガラス１４側の棒状電極４の後端に、前記アークランプ１のガラスバルブ２の管状部２ａの外径以下で前記棒状電極４よりも大径な防爆ガラス接続部５を設け、且つ、ランプハウス１０の出射口１３の防爆ガラス嵌合部１２ａに、防爆ガラス１４を、リフレクタ１１の中心線方向に移動可能に遊嵌するとともに、前記ランプハウス１０の出射口１３部に前記防爆ガラス１４を前記ランプハウス１０内方向に押圧するばね部材２０を設け、このばね部材２０の弾力により前記アークランプ１の防爆ガラス１４側の棒状電極４の後端を前記防爆ガラス接続部５を介して前記防爆ガラス１４の内面に接触させたものである。
【００５８】
なお、この実施例の光源装置において、他の構成は上述した第１の実施例と同じであるから、重複する説明は図に同符号を付して省略する。
【００５９】
この実施例において、前記防爆ガラス１４をランプハウス１０内方向に押圧するばね部材２０は、例えば複数のコイルばねであり、これらのコイルばねは、前記ランプハウス１０の防爆カバー１２の防爆ガラス嵌合部１２ａの先端縁の内周に形成された環状鍔部と前記防爆ガラス１４との間に、その周方向に略等しい間隔をおいて配置され、その一端を前記環状鍔部に溶接されている。
【００６０】
この実施例の光源装置は、ランプハウス１０の出射口１３に防爆ガラス１４を遊嵌するとともに、前記ランプハウス１０の出射口１３部に防爆ガラス１４をランプハウス１０内方向に押圧するばね部材２０を設け、このばね部材２０の弾力により前記アークランプ１の防爆ガラス１４側の棒状電極４の後端を、その後端面に設けられた防爆ガラス接続部５を介して前記防爆ガラス１４の内面に接触させているため、上述した第２及び第３の実施例と同様に、前記棒状電極４を前記防爆ガラス１４の内面に容易にしかも確実に接触させることができる。
【００６１】
なお、この実施例では、前記アークランプ１の防爆ガラス１４側の棒状電極４の後端に防爆ガラス接続部５を設けているが、この防爆ガラス接続部５を省略し、前記棒状電極４の後端面を直接前記防爆ガラス１４の内面に接触させてもよい。
【００６２】
図６はこの発明の第５の実施例を示す光源装置の一部分の断面図であり、この実施例の光源装置は、アークランプ１の防爆ガラス１４側の棒状電極４の後端に、前記アークランプ１のガラスバルブ２の管状部２ａの外径以下で前記棒状電極４よりも大径な防爆ガラス接続部５を設け、ランプハウス１０の防爆カバー１２の軸方向の長さを、この防爆カバー１２をリフレクタ１１の開口縁部に接続したときに、前記防爆ガラス１４の内面が前記アークランプ１の防爆ガラス１４側の棒状電極４の後端に設けられた防爆ガラス接続部５に接面するように設計するとともに、前記棒状電極４の後端の防爆ガラス接続部５を、伝熱性を有する接着層２１を介して前記防爆ガラス１４の内面に接着接続したものである。
【００６３】
なお、この実施例の光源装置において、他の構成は上述した第１の実施例と同じであるから、重複する説明は図に同符号を付して省略する。
【００６４】
この実施例の光源装置は、アークランプ１の防爆ガラス１４側の棒状電極４の後端の防爆ガラス接続部５を、伝熱性接着層２１を介して前記防爆ガラス１４の内面に接着接続しているため、前記棒状電極４の後端を前記防爆ガラス１４の内面に一体的に接続し、前記アークランプ１の発生熱を、前記棒状電極４から前記接着層２１を介して前記防爆ガラス１４に伝えることができる。
【００６５】
なお、上述した第１〜第４の実施例の光源装置は、光源ランプにアークランプを用いたものであるが、光源ランプは、アークランプに限らず他のランプでもよく、その場合も、光源ランプの防爆ガラス１４側の端部を前記防爆ガラス１４の内面に伝熱性をもたせて接続することにより、前記光源ランプが発生する熱の一部を、前記防爆ガラス１４を放熱板として利用して外部に放熱し、空冷手段１６によるランプハウス１０内の空冷と、前記防爆ガラス１４を利用するランプ熱の放熱とにより、ランプハウス１０内の昇温を効果的に抑制することができる。
【図面の簡単な説明】
【００６６】
【図１】この発明の第１の実施例を示す光源装置のランプハウスを切開した斜視図。
【図２】第１の実施例の光源装置の一部分の断面図。
【図３】この発明の第２の実施例を示す光源装置の一部分の断面図。
【図４】この発明の第３の実施例を示す光源装置の一部分の断面図。
【図５】この発明の第４の実施例を示す光源装置の一部分の断面図。
【図６】この発明の第５の実施例を示す光源装置の一部分の断面図。
【符号の説明】
【００６７】
１…アークランプ（光源ランプ）、２…ガラスバルブ、２ａ…管状部、２ｂ…膨らみ部、３，４…棒状電極、５…防爆ガラス接続部、６…駆動回路接続リード、７…伝熱性コイルばね、８…ばね受け、９…伝熱性コイルばね、１０…ランプハウス、１１…リフレクタ、１２…防爆カバー１２、１３…出射口、１４…防爆ガラス、１６…空冷手段、１７，１８…通風口、１９…送風機、２０…ばね部材、２１…伝熱性接着層。
【図１】
2005149841.tif 000003
【図２】
2005149841.tif 000004
【図３】
2005149841.tif 000005
【図４】
2005149841.tif 000006
【図５】
2005149841.tif 000007
【図６】
2005149841.tif 000008